(57)【要約】【課題】  プラグインスティックの実装効率が減少しないこと、部品点数を抑えること及び基本単位の自然数倍の大きさのプラグインスティックをプラグインユニットに挿入することを可能とするプラグインスティック、プラグインユニット及び実装構造を提供する。【解決手段】  複数の第１の凹形状のガイドを有する第１の部材、複数の第２の凹形状のガイドを有する第２の部材、複数のコネクタハウジングを備えるプラグインユニットと、その各々が前記複数の第１の凹形状のガイドの何れかと嵌合する複数の第１の凸形状のガイド、その各々が前記複数の第２の凹形状のガイドの何れかと嵌合する複数の第２の凸形状のガイド、その各々が前記複数のコネクタハウジングの何れかと嵌合する複数のコネクタソケットを備え、第１の部材と第２の部材の間の複数のスロットに跨った空間を占めて挿入されるプラグインスティックとを備える。【選択図】        図１
2005340843.tif 000002
【特許請求の範囲】
【請求項１】
複数の並行に並ぶ第１の凹形状のガイドを有する第１の部材と、
その各々が前記並行に並ぶ第１の凹形状のガイドの各々に対向する位置に空間を隔てて配置される複数の並行に並ぶ第２の凹形状のガイドを有する第２の部材と、
複数のコネクタハウジングと、
を備え、１つの前記第１の凹形状のガイド、１つの前記第２の凹形状のガイド及び１つの前記コネクタハウジングの組が１つのスロットに対応し、サブラックに搭載されるプラグインユニットと、
その各々が前記複数の第１の凹形状のガイドの何れかと嵌合する複数の第１の凸形状のガイドと、
その各々が前記複数の第２の凹形状のガイドの何れかと嵌合する複数の第２の凸形状のガイドと、
その各々が前記複数のコネクタハウジングの何れかと嵌合する複数のコネクタソケットと、
を備え、前記プラグインユニットにおける前記第１の部材と前記第２の部材の間の複数の前記スロットに跨った空間を占めて挿入されるプラグインスティックと、
を備えることを特徴とする実装構造。
【請求項２】
請求項１に記載の実装構造において、
前記第１の凹形状のガイドの幅が前記第２の凹形状のガイドの幅と異なることを特徴とする実装構造。
【請求項３】
請求項１に記載の実装構造において、
前記第１の凸形状のガイドの幅が前記第２の凸形状のガイドの幅と異なることを特徴とする実装構造。
【請求項４】
請求項１に記載の実装構造において、
前記プラグインスティックの幅が、前記第１の部材と前記第２の部材の間の１つの前記スロットに対応する空間に挿入可能な基本プラグインスティックの幅の自然数倍であることを特徴とする実装構造。
【請求項５】
請求項１に記載の実装構造において、
前記複数の第１の凸形状のガイド及び前記複数の第２の凸形状のガイドは、前記プラグインスティックに対応する複数のスロットのうちの両端のスロットに対応して前記プラグインスティックに備わることを特徴とする実装構造。
【請求項６】
請求項１に記載の実装構造において、
前記プラグインスティックは、電子部品を搭載することを特徴とする実装構造。
【請求項７】
請求項１に記載の実装構造において、
前記プラグインスティックは、電子回路を形成するプリントサーキットボードを搭載することを特徴とする実装構造。
【請求項８】
複数の並行に並ぶ第１の凹形状のガイドを有する第１の部材と、
その各々が前記並行に並ぶ第１の凹形状のガイドの各々に対向する位置に空間を隔てて配置される複数の並行に並ぶ第２の凹形状のガイドを有する第２の部材と、
複数のコネクタハウジングと、
を備え、１つの前記第１の凹形状のガイド、１つの前記第２の凹形状のガイド及び１つの前記コネクタハウジングの組が１つのスロットに対応し、サブラックに搭載されるプラグインユニットに対応したプラグインスティックであって、
その各々が前記複数の第１の凹形状のガイドの何れかと嵌合する複数の第１の凸形状のガイドと、
その各々が前記複数の第２の凹形状のガイドの何れかと嵌合する複数の第２の凸形状のガイドと、
その各々が前記複数のコネクタハウジングの何れかと嵌合する複数のコネクタソケットと、
を備え、前記プラグインユニットにおける前記第１の部材と前記第２の部材の間の複数の前記スロットに跨った空間を占めて挿入されることを特徴とするプラグインスティック。
【請求項９】
請求項８に記載のプラグインスティックにおいて、
前記第１の凸形状のガイドの幅が前記第２の凸形状のガイドの幅と異なることを特徴とするプラグインスティック。
【請求項１０】
請求項８に記載のプラグインスティックにおいて、
当該プラグインスティックの幅が、前記第１の部材と前記第２の部材の間の１つの前記スロットに対応する空間に挿入可能な基本プラグインスティックの幅の自然数倍であることを特徴とするプラグインスティック。
【請求項１１】
請求項８に記載のプラグインスティックにおいて、
前記複数の第１の凸形状のガイド及び前記複数の第２の凸形状のガイドは、当該プラグインスティックに対応する複数のスロットのうちの両端のスロットに対応して当該プラグインスティックに備わることを特徴とするプラグインスティック。
【請求項１２】
請求項８に記載のプラグインスティックにおいて、
当該プラグインスティックは、電子部品を搭載することを特徴とするプラグインスティック。
【請求項１３】
請求項８に記載のプラグインスティックにおいて、
当該プラグインスティックは、電子回路を形成するプリントサーキットボードを搭載することを特徴とするプラグインスティック。
【請求項１４】
複数の並行に並ぶ第１の凹形状のガイドを有する第１の部材と、
その各々が前記並行に並ぶ第１の凹形状のガイドの各々に対向する位置に空間を隔てて配置される複数の並行に並ぶ第２の凹形状のガイドを有する第２の部材と、
複数のコネクタハウジングと、
を備え、１つの前記第１の凹形状のガイド、１つの前記第２の凹形状のガイド及び１つの前記コネクタハウジングの組が１つのスロットに対応し、サブラックに搭載されるプラグインユニットであって、
その各々が前記複数の第１の凹形状のガイドの何れかと嵌合する複数の第１の凸形状のガイドと、
その各々が前記複数の第２の凹形状のガイドの何れかと嵌合する複数の第２の凸形状のガイドと、
その各々が前記複数のコネクタハウジングの何れかと嵌合する複数のコネクタソケットと、
を備えるプラグインスティックが、前記第１の部材と前記第２の部材の間の複数の前記スロットに跨った空間を占めて挿入されることを特徴とするプラグインユニット。
【請求項１５】
請求項１４に記載のプラグインユニットにおいて、
前記第１の凹形状のガイドの幅が前記第２の凹形状のガイドの幅と異なることを特徴とするプラグインユニット。
【請求項１６】
請求項１４に記載のプラグインユニットにおいて、
前記プラグインスティックの幅が、前記第１の部材と前記第２の部材の間の１つの前記スロットに対応する空間に挿入可能な基本プラグインスティックの幅の自然数倍であることを特徴とするプラグインユニット。
【請求項１７】
請求項１４に記載のプラグインユニットにおいて、
前記複数の第１の凸形状のガイド及び前記複数の第２の凸形状のガイドは、前記プラグインスティックに対応する複数のスロットのうちの両端のスロットに対応して前記プラグインスティックに備わることを特徴とするプラグインユニット。
【請求項１８】
請求項１４に記載のプラグインユニットにおいて、
前記プラグインスティックは、電子部品を搭載することを特徴とするプラグインユニット。
【請求項１９】
請求項１４に記載のプラグインユニットにおいて、
前記プラグインスティックは、電子回路を形成するプリントサーキットボードを搭載することを特徴とするプラグインユニット。
【発明の詳細な説明】
【技術分野】
【０００１】
本発明は、電子部品を内蔵したプラグインスティック、該プラグインスティックが挿入可能なプラグインユニット及びこれらを備える実装構造に関する。
【背景技術】
【０００２】
本発明が関するガイド構造では、図１におけるＹ方向にプラグインスティックを複数並べて実装することが重要な要素の一つとなっている。
【０００３】
この目的のために、通常プラグインスティックが相互に隣接する境界にガイドレールや仕切り板を設けるという手法が採用されている。
【特許文献１】特開２０００−１１４７５４号公報
【特許文献２】特開平２−３６５９４号公報
【特許文献３】実開平１−８６２９２号公報
【特許文献４】特開２００１−４３３３９号公報
【特許文献５】特開平５−２０６６６３号公報
【特許文献６】実開平３−６８９０号公報
【発明の開示】
【発明が解決しようとする課題】
【０００４】
しかしながら、この手法では、プラグインスティックの間にガイドレールや仕切り板のためのスペースが必要となり、Ｚ方向のプラグインスティックの実装効率が減少する。また、プラグインスティックの実装スロット毎にガイドレールや仕切りが必要となり部品点数が増大し、また、プラグインスティックのｎ倍の大きさのプラグインスティックを挿入可能なマルチスロットガイド機構の実現が不可能である。
【０００５】
本発明は上記の問題点に鑑みてなされたものであり、プラグインスティックの実装効率が減少しないことを可能とする電子部品を内蔵したプラグインスティック、該プラグインスティックが挿入可能なプラグインユニット及びこれらを備える実装構造を提供することを目的とする。
【０００６】
また、本発明は、部品点数を抑えることを可能とする電子部品を内蔵したプラグインスティック、該プラグインスティックが挿入可能なプラグインユニット及びこれらを備える実装構造を提供することを目的とする。
【０００７】
更に、本発明は、基本単位の自然数倍の大きさのプラグインスティックをマルチスロットガイド構造に挿入することを可能とする電子部品を内蔵したプラグインスティック、該プラグインスティックが挿入可能なプラグインユニット及びこれらを備える実装構造を提供することを目的とする。
【課題を解決するための手段】
【０００８】
本発明によれば、複数の並行に並ぶ第１の凹形状のガイドを有する第１の部材と、その各々が前記並行に並ぶ第１の凹形状のガイドの各々に対向する位置に空間を隔てて配置される複数の並行に並ぶ第２の凹形状のガイドを有する第２の部材と、複数のコネクタハウジングと、を備え、１つの前記第１の凹形状のガイド、１つの前記第２の凹形状のガイド及び１つの前記コネクタハウジングの組が１つのスロットに対応し、サブラックに搭載されるプラグインユニットと、その各々が前記複数の第１の凹形状のガイドの何れかと嵌合する複数の第１の凸形状のガイドと、その各々が前記複数の第２の凹形状のガイドの何れかと嵌合する複数の第２の凸形状のガイドと、その各々が前記複数のコネクタハウジングの何れかと嵌合する複数のコネクタソケットと、備え、前記プラグインユニットにおける前記第１の部材と前記第２の部材の間の複数の前記スロットに跨った空間を占めて挿入されるプラグインスティックと、を備えることを特徴とする実装構造が提供される。
【０００９】
上記の実装構造において、前記第１の凹形状のガイドの幅が前記第２の凹形状のガイドの幅と異なるようにしてもよい。
【００１０】
上記の実装構造において、前記第１の凸形状のガイドの幅が前記第２の凸形状のガイドの幅と異なるようにしてもよい。
【００１１】
上記の実装構造において、前記プラグインスティックの幅が、前記第１の部材と前記第２の部材の間の１つの前記スロットに対応する空間に挿入可能な基本プラグインスティックの幅の自然数倍であるようにしてもよい。
【００１２】
上記の実装構造において、前記複数の第１の凸形状のガイド及び前記複数の第２の凸形状のガイドは、前記プラグインスティックに対応する複数のスロットのうちの両端のスロットに対応して前記プラグインスティックに備わるようにしてもよい。
【００１３】
上記の実装構造において、前記プラグインスティックは、電子部品を搭載するようにしてもよい。
【００１４】
上記の実装構造において、前記プラグインスティックは、電子回路を形成するプリントサーキットボードを搭載するようにしてもよい。
【発明の効果】
【００１５】
以上説明したように、本発明によれば、プラグインスティックを隣接させて並べることができるので、プラグインスティックの実装効率が減少しないことが可能となる。
【００１６】
また、本発明によれば、ガイドレールや仕切り板が不要となるので、部品点数を抑えることを可能となる。
【００１７】
更に、本発明によれば、仕切り板が無いので、基本単位の自然数倍の大きさのプラグインスティックをプラグインユニットに挿入することが可能となる。
【発明を実施するための最良の形態】
【００１８】
以下、図面を参照して本発明を実施するための最良の形態について詳細に説明する。
【００１９】
本発明の特徴は、プラグインユニット２の前面にプラグインスティック１、５を複数実装するためのガイド構造に関し、図１におけるＹ方向に複数のプラグインスティック１、５を高密度に並べて実装するためのものである。
【００２０】
プラグインスティック１をプラグインユニット２前面から所定の位置に挿入させるという構成に対し、本発明に従って、図２のようにプラグインスティック１のＸＹ平面に凸形状ガイド６、８を、プラグインユニット２には図３のようにプラグインスティック１の凸形状に対応した凹形状ガイド１１、１２を、プラグインスティック１を挿入する位置に設けている。
【００２１】
プラグインスティック１及びプラグインユニット２の凹形状ガイド１３に設けられた凹凸形状は、プラグインスティック１に実装されるコネクタソケット３をプラグインユニット２内部に実装されるコネクタハウジング４に確実に嵌合させる位置に呼び込むためのガイド機能の役目を果たす。
【００２２】
従って、プラグインスティック１の挿入位置はプラグインユニット２に設けられた凹形状１１、１２のガイドの位置にのみ依存するため、図１のようにプラグインスティック１を複数（図１の例では、プラグインスティック１が３つ隣接して並び、それらから離間してプラグインスティック５が配されている。）挿入する場合には、プラグインスティック１の間には各々のプラグインスティック１が干渉しないための適当な間隙があれば良く、特に仕切るための部品が不要である。またプラグインユニット２に設けられるガイドについては、プラグインスティック１を挿入する位置に凹形状のガイド１１、１２を設けるだけで良い簡易な構造であり、実装密度が高く、簡易な構造を実現できるという効果が得られる。また、各プラグインスティック１の間に仕切りが存在しないため、複数のスロットを占有するような大容量型プラグインスティック５の挿入も可能とする。
【００２３】
また、図２に示すように凸形状ガイドの幅は左右でＨ２、Ｈ３と異なる寸法になっており、凹型ガイドも対応してＨ２’、Ｈ３’と異なる寸法になっている。このことにより、プラグインスティック１を１８０°反転させて挿入してもお互いのガイドが干渉して挿入することが不可能な構造としている。
【００２４】
図１に、本発明の一実施形態として通信機器におけるプラグインユニット２の実装構成が示されている。通信機器の実装構成はプラグインユニット２を複数実装するサブラック、プラグインユニット２、プラグインユニットの前面に実装されるプラグインスティック１により構成され、サブラックとプラグインユニット２、プラグインユニット２とプラグインスティック１は電気コネクタ等によりそれぞれ相互に電気的接続されている。
【００２５】
図２にプラグインスティックの構成図を示す。プラグインスティック１は、電子部品及び電気コネクタソケット３を搭載し、電子回路を形成するプリントサーキットボード（以下ＰＣＢ）、プラグインスティックの右側の凸型ガイド６を有するベース金具７、及び左側の凸型ガイド８を有するカバー金具９により構成され、ＰＣＢ１０はベース金具７に支持固定され、カバー金具９はＰＣＢ１０に覆い被さりベース金具７にＰＣＢ１０を押さえつけるような位置にラッチ等によりベース金具７に固定される。
【００２６】
ＰＣＢ１０をベース金具７及びカバー９金具の内部に収容することにより、ＰＣＢ１０上に実装される部品はベース金具７やカバー金具９と適当な間隙を保つことができればどのような部品でも実装が可能であり、プラグインスティック１として形成することが可能である。
【００２７】
図３のプラグインスティックを挿入する凹形状ガイド構成が示すように、プラグインユニット２には複数のプラグインスティック１を挿入するための凹形状を複数有するガイド１３が実装される。プラグインスティック１を複数挿入した場合、ガイド構造をプラグインスティックが並ぶ方向とプラグインスティックが挿入される方向に垂直な方向に並べて設けているためプラグインスティック１相互の間には仕切りが不要となる。従って通常図３のようなプラグインスティック１を４個挿入するスロットに、４個分の大きさの大容量型プラグインスティック１３に凸形状ガイドを設けたものを図４のように挿入することが可能なマルスロットガイド構造の実現が可能となる。
【図面の簡単な説明】
【００２８】
【図１】本発明の実施形態によるプラグインスティック及びマルチスロットガイド構造を有するプラグインユニットの構造を示す平面図である。
【図２】本発明の実施形態によるプラグインスティックの構造を示す断面図である。
【図３】本発明の実施形態によるマルチスロットガイド構造を示す断面図である。
【図４】本発明の実施形態による基本単位の４倍の大きさを有するプラグインスロットスティックをマルチスロットガイド構造に挿入した時の状態を示す断面図である。
【符号の説明】
【００２９】
１  プラグインスティック
２  プラグインユニット
３  コネクタソケット
４  コネクタハウジング
５  大容量プラグインスティック
６  右側凸形状ガイド
７  ベース金具
８  左側凸形状ガイド
９  カバー金具
１１  右側凹形状ガイド
１２  左側凹形状ガイド
１３  凹形状ガイド
【図１】
2005340843.tif 000003
【図２】
2005340843.tif 000004
【図３】
2005340843.tif 000005
【図４】
2005340843.tif 000006